(57)【特許請求の範囲】
【請求項１】
セットアップ対象の複数個のスピーカ、
所定の音響検出点に配置され該音響検出点における音響をその音量に関係する電気信号へ変換して該電気信号を出力する音響検出器、
１つの音響出力中止期間と各スピーカに対応付けて所定の順番で連続するスピーカ別音響出力期間とを設け、音響出力中止期間では全部のスピーカからの音響出力を中止させ、各スピーカ別音響出力期間では該期間に対応付けられているスピーカからのみ所定のテスト音響を所定音量Ｖで出力させ、また、音響出力中止期間では全部のスピーカからの音響出力を中止させる出力制御手段、
各スピーカ別音響出力期間における前記音響検出器の出力レベルと、音響出力中止期間における前記音響検出器の出力レベルとに基づいて各スピーカ別Ｓ／Ｎ比を検出するスピーカ別Ｓ／Ｎ比検出手段、
すべてのスピーカ別Ｓ／Ｎ比の中で最小のスピーカ別Ｓ／Ｎ比が基準値以上であるか否かを判定する判定手段、
前記判定手段の判定が否である場合は、音量Ｖを所定量ΔＶだけ増大させて前記出力制御手段に各スピーカ別音響出力期間のテスト音響を再出力させるとともに、各スピーカ別Ｓ／Ｎ比を再検出し、この再出力及び再検出を、前記判定手段の判定が正になるまで、繰り返す前記スピーカ別Ｓ／Ｎ比検出手段、
前記判定手段の判定が正である場合は、その時の音量Ｖをセットアップ音量に設定するセットアップ音量設定手段、及び
セットアップ音量のテスト音響を使って、前記複数個のスピーカのセットアップを実行するセットアップ手段、
を有し、
前記スピーカ別Ｓ／Ｎ比検出手段は、各スピーカ別音響出力期間の少なくとも部分期間における前記音響検出器の平均出力レベルと、音響出力中止期間の少なくとも部分期間における前記音響検出器の平均出力レベルとに基づいて各スピーカ別Ｓ／Ｎ比を検出するとともに、記音響検出器の平均出力レベルを検出する時間長さに関して、各スピーカ別音響出力期間における検出期間より音響出力中止期間における検出期間の方を長くすることを特徴とするオーディオシステム用セットアップ装置。
【請求項２】
前記スピーカ別Ｓ／Ｎ比検出手段は、スピーカ別Ｓ／Ｎ比の再検出においては、音響出力中止期間における前記音響検出器の出力レベルの検出は省略し、各スピーカ別音響出力期間における前記音響検出器の出力レベルの検出のみ行うことを特徴とする請求項１記載のオーディオシステム用セットアップ装置。
【請求項３】
前記セットアップ手段におけるセットアップは、前記セットアップ音量で各スピーカから別々に出力させた前記テスト音響に対する前記音響検出器の出力のインパルス応答に基づき、各スピーカから前記テスト音響までの距離測定、スピーカ間の出力レベル補正、又は各スピーカのｆ特性の補正を含むものであることを特徴とする請求項１又は２記載のオーディオシステム用セットアップ装置。
【請求項４】
セットアップ対象の複数個のスピーカ、及び
所定の音響検出点に配置され該音響検出点における音響をその音量に関係する電気信号へ変換して該電気信号を出力する音響検出器、
を有しているオーディオシステムのセットアップ方法において、
１つの音響出力中止期間と各スピーカに対応付けて所定の順番で連続するスピーカ別音響出力期間とを設け、音響出力中止期間では全部のスピーカからの音響出力を中止させ、各スピーカ別音響出力期間では該期間に対応付けられているスピーカからのみ所定のテスト音響を所定音量Ｖで出力させ、また、音響出力中止期間では全部のスピーカからの音響出力を中止させる出力制御ステップ、
各スピーカ別音響出力期間における前記音響検出器の出力レベルと、音響出力中止期間における前記音響検出器の出力レベルとに基づいて各スピーカ別Ｓ／Ｎ比を検出するスピーカ別Ｓ／Ｎ比検出ステップ、
すべてのスピーカ別Ｓ／Ｎ比の中で最小のスピーカ別Ｓ／Ｎ比が基準値以上であるか否かを判定する判定ステップ、
前記判定ステップにおける判定が否である場合は、音量Ｖを所定量ΔＶだけ増大させた前記出力制御ステップの実行により各スピーカ別音響出力期間のテスト音響を再出力させるとともに、各スピーカ別Ｓ／Ｎ比を再検出し、この再出力及び再検出を、前記判定ステップにおける判定が正になるまで、繰り返す前記スピーカ別Ｓ／Ｎ比検出ステップ、
前記判定ステップにおける判定が正である場合は、その時の音量Ｖをセットアップ音量に設定するセットアップ音量設定ステップ、及び
セットアップ音量のテスト音響を使って、前記複数個のスピーカのセットアップを実行するセットアップステップ、
を有し、
前記スピーカ別Ｓ／Ｎ比検出ステップでは、各スピーカ別音響出力期間の少なくとも部分期間における前記音響検出器の平均出力レベルと、音響出力中止期間の少なくとも部分期間における前記音響検出器の平均出力レベルとに基づいて各スピーカ別Ｓ／Ｎ比を検出するとともに、記音響検出器の平均出力レベルを検出する時間長さに関して、各スピーカ別音響出力期間における検出期間より音響出力中止期間における検出期間の方を長くすることを特徴とするオーディオシステム用セットアップ方法。
【請求項５】
請求項１〜３のいずれかに記載のオーディオシステムの各手段としてコンピュータを機能させるためのプログラム。
【発明の詳細な説明】
【技術分野】
【０００１】
本発明は、オーディオシステム用セットアップ装置、オーディオシステム用セットアップ方法及びプログラムに関する。
【背景技術】
【０００２】
特許文献１は、オーディオシステム用セットアップ装置を開示する。該オーディオシステム用セットアップ装置によれば、オーディオシステムにおいてリスナー位置にマイクロホンを配置し、各スピーカへテスト音響信号を順番に供給し、各スピーカからテスト音響を出力させる一方、リスナー位置のマイクロホンの出力を検出し、各スピーカについてのマイクロホン出力が所定レベルとなるように、各スピーカに係るチャンネルのレベル調整を行っている（図１１）。該オーディオシステム用セットアップ装置では、さらに、各スピーカに対し、テスト音響信号及びマイクロホンのレベル値の微分又は差分に基づき、各スピーカからリスナー位置までの音響信号の到達時間を検出し、各スピーカに係る到達時間が基準時間内になるように、各スピーカに係るチャンネルの遅延処理を行っている（図１２）。
【発明の開示】
【発明が解決しようとする課題】
【０００３】
特許文献１のオーディオシステム用セットアップ装置は、セットアップ時の周辺ノイズ音を考慮していない。オーディオシステムのセットアップの際には、周辺ノイズ音がマイクロホンに拾われることがあり、これを考慮しないと、まちまちのセットアップが行われてしまう危険がある。
【０００４】
スピーカからのテスト音響をいたずらに大きくすることは、テスト音響が、周辺環境や他の人に対して迷惑なノイズ音となり、好ましくない。
【０００５】
本発明の目的は、周辺ノイズ音が存在していても、的確なセットアップを実施できるオーディオシステム用セットアップ装置、オーディオシステム用セットアップ方法及びプログラムを提供することである。
【課題を解決するための手段】
【０００６】
本発明のオーディオシステム用セットアップ装置は次のものを有している。
セットアップ対象の複数個のスピーカ、
所定の音響検出点に配置され該音響検出点における音響をその音量に関係する電気信号へ変換して該電気信号を出力する音響検出器、
各スピーカから個別にテスト音響を所定音量Ｖで出力させる出力制御手段、
音響検出器の出力に基づきスピーカ別Ｓ／Ｎ比を検出するスピーカ別Ｓ／Ｎ比検出手段、
すべてのスピーカ別Ｓ／Ｎ比の中で最小のスピーカ別Ｓ／Ｎ比が基準値以上であるか否かを判定する判定手段、
判定手段の判定が否である場合は、音量Ｖを変更してスピーカ別Ｓ／Ｎ比の再検出を実施するスピーカ別Ｓ／Ｎ比検出手段、
判定手段の判定が正である場合は、その時の音量Ｖをセットアップ音量に設定するセットアップ音量設定手段、及び
セットアップ音量のテスト音響を使って、複数個のスピーカのセットアップを実行するセットアップ手段。
【０００７】
本発明のオーディオシステム用セットアップ方法が適用されるオーディオシステムは次のものを有している。
セットアップ対象の複数個のスピーカ、及び
所定の音響検出点に配置され該音響検出点における音響をその音量に関係する電気信号へ変換して該電気信号を出力する音響検出器。
【０００８】
本発明のオーディオシステム用セットアップ方法は次のステップを有している。
各スピーカから個別にテスト音響を所定音量Ｖで出力させて、音響検出器の出力に基づきスピーカ別Ｓ／Ｎ比を検出するスピーカ別Ｓ／Ｎ比検出ステップ、
すべてのスピーカ別Ｓ／Ｎ比の中で最小のスピーカ別Ｓ／Ｎ比が基準値以上であるか否かを判定する判定ステップ、
判定ステップにおける判定が否である場合は、音量Ｖを変更してスピーカ別Ｓ／Ｎ比検出ステップへ戻る戻りステップ、
判定ステップにおける判定が正である場合は、その時の音量Ｖをセットアップ音量に設定するセットアップ音量設定ステップ、及び
セットアップ音量のテスト音響を使って、複数個のスピーカのセットアップを実行するセットアップステップ。
【０００９】
本発明のプログラムは、コンピュータを本発明のオーディオシステム用セットアップ装置の各手段として機能させる。
【発明の効果】
【００１０】
本発明によれば、全部のスピーカ別Ｓ／Ｎ比が基準値以上となるようなセットアップ音量が設定され、該セットアップ音量によりセットアップが実施されるので、周辺ノイズ音のために、セットアップがまちまちになる事態を回避できる。
【発明を実施するための最良の形態】
【００１１】
図１はオーディオシステム１０の主要部構成図である。オーディオシステム１０は、ＡＶレシーバ１１、複数個（図１の例では６個）のスピーカ１２ａ，１２ｂ，・・・，１２ｆ、及び１個のマイクロホン１３を装備する。該オーディオシステム１０は、ドルビー（登録商標）デジタル５．１チャンネルに対応しており、サブウーハースピーカとしてのスピーカ１２ｆを除く他のスピーカ１２ａ，１２ｂ，・・・，１２ｅは、所定の部屋内に、それぞれに対応付けられているチャンネルに対応する場所、すなわち、聴取者予定位置に対して前方左、前方右、後方左、後方右、及び前方中央の各位置に配置される。
【００１２】
ＡＶレシーバ１１において、制御マイコン２１は、スイッチ２４、セレクタ２５、ＡＤＣ（アナログ／デジタル変換器）２６、ＤＳＰ（デジタルシグナルプロセッサ）３０、ＤＡＣ（デジタル／アナログ変換器）３１ａ，３１ｂ，３１ｃ、音量調整器３２ａ，３２ｂ，・・・，３２ｆを制御する。なお、図１において、オーディオ信号の線は、実線で示しているのに対し、制御信号の線は破線で示している。各スピーカ１２ａ，１２ｂ，・・・，１２ｆは、ＡＶレシーバ１１の対応のスピーカ用出力端子へ各ケーブルを介して接続される。マイクロホン１３は、オーディオシステム１０の聴取者が予定している聴取位置に置かれ、ケーブルを介してＡＶレシーバ１１のマイク入力端子３５へ接続される。
【００１３】
ＡＶレシーバ１１は、複数個の外部音声入力端子３６ａ，３６ｂ，・・・を有している。複数個の外部音声入力端子３６ａ，３６ｂ，・・・の内、外部音声入力端子３６ａのみは、マイク入力端子３５とセレクタ２５の入力端子を共有している。マイク入力端子３５に入力されたオーディオ信号は、増幅器３７を介してスイッチ２４へ接続され、外部音声入力端子３６ａに入力されたオーディオ信号はスイッチ２４へ直接、送られる。スイッチ２４は、マイク入力端子３５及び外部音声入力端子３６ａの一方を選択して、セレクタ２５の入力端子へ接続する。
【００１４】
セレクタ２５は、スイッチ２４からの入力信号を含む複数個の入力信号を受け、その中から１個の入力信号を選択して、ＡＤＣ２６へ出力する。ＡＤＣ２６は、セレクタ２５からのアナログ信号をデジタル信号へ変換して、ＤＳＰ３０のテスト信号分析器４１へ出力する。ＤＳＰ３０は、テスト信号分析器４１の他に、テスト信号生成器４２を備え、テスト信号生成器４２は、デジタル形式のテスト信号（後述のテスト音響信号に対応する。）を生成して、３個のＤＡＣ３１ａ，３１ｂ，３１ｃの全部又は一部へ出力する。ＤＡＣ３１ａは、前側の左右の２チャンネルに共通に設けられ、ＤＡＣ３１ｂは、後ろ側の左右の２チャンネルに共通に設けられ、ＤＡＣ３１ｃは、前側中央のチャンネルとサブウーハーのチャンネルとに共通に設けられている。
【００１５】
ＤＡＣ３１ａ，３１ｂ，３１ｃは、デジタル信号をアナログ信号へ変換する。ＤＡＣ３１ａの出力は音量調整器３２ａ，３２ｂへ送られ、ＤＡＣ３１ｂの出力は音量調整器３２ｃ，３２ｄへ送られ、ＤＡＣ３１ｃの出力は音量調整器３２ｅ，３２ｆへ送られる。音量調整器３２ａ，３２ｂ，・・・，３２ｆの出力は、それぞれ増幅器４５ａ，４５ｂ，・・・，４５ｆへ送られる。増幅器４５ａ，４５ｂ，・・・，４５ｆの出力側は、ケーブルを介して対応のスピーカ１２ａ，１２ｂ，・・・，１２ｆへ接続されている。制御マイコン２１は、各音量調整器３２ａ，３２ｂ，・・・，３２ｆの増幅率を個々に切替自在になっており、また、各音量調整器３２ａ，３２ｂ，・・・，３２ｆの出力レベルを個々に０、すなわち各チャンネルを個々にミュート状態にすることができる。
【００１６】
オーディオシステム１０におけるセットアップ処理について説明する。
【００１７】
制御マイコン２１は、スピーカ１２ａ，１２ｂ，・・・，１２ｆから順番にテスト音響が所定音量Ｖで出力されるように、テスト信号生成器４２、ＤＡＣ３１ａ，３１ｂ，３１ｃ及び音量調整器３２ａ，３２ｂ，・・・，３２ｆを制御する。すなわち、テスト信号生成器４２において、テスト音響信号が生成され、該テスト音響信号は、テスト音響出力を実施するスピーカに対応するＤＡＣ３１ａ，３１ｂ又は３１ｃへ送られ、さらに、テスト音響出力を実施するスピーカに対応する音量調整器３２ａ，３２ｂ，・・・３２ｅ又は３２ｆへ送られる。
【００１８】
一方、マイクロホン１３は、その位置における音響を拾い（ピックアップし）、該音響を各瞬時の音量に関係する振幅の電気信号へ変換する。該電気信号は、マイク入力端子３５、増幅器３７、スイッチ２４、セレクタ２５及びＡＤＣ２６を介してテスト信号分析器４１へ送られ、こうして、テスト信号分析器４１は各サンプル時刻のマイクロホン１３の出力レベルを検出する。
【００１９】
制御マイコン２１は、各スピーカ１２ａ，１２ｂ，・・・，１２ｆに対応して期間Ｔａ，Ｔｂ，・・・，Ｔｆを設け、各期間Ｔａ，Ｔｂ，・・・，Ｔｆには、それぞれ対応のスピーカ１２ａ，１２ｂ，・・・，１２ｆのみからテスト音響を所定音量Ｖで出力するとともに、各期間Ｔａ，Ｔｂ，・・・，Ｔｆのマイクロホン１３の出力の対応値の平均レベルＬａ，Ｌｂ，・・・，Ｌｆをテスト信号分析器４１において検出する。制御マイコン２１は、さらに、全部のスピーカ１２ａ，１２ｂ，・・・，１２ｆからの音響出力を一斉に中止する期間Ｔｚを設け、該期間Ｔｚでは、テスト信号生成器４２におけるテスト音響信号の生成を中止する。テスト信号分析器４１は、期間Ｔｚにおいて、マイクロホン１３の出力の対応値の平均レベルＬｚを検出する。
【００２０】
図２は全部のスピーカ１２ａ，１２ｂ，・・・，１２ｆからの音響出力を中止した期間ｔ１と所定のスピーカのみから音量Ｖで音響を出力した期間ｔ２とにおけるマイクロホン１３の出力電気信号を例示している。ｔ１は前述のＴｚであり、ｔ２は、前述のＴａ，Ｔｂ，・・・，Ｔｆのいずれかである。マイクロホン１３がｔ１において出力する電気信号レベルの平均値はＬｚに対応し、マイクロホン１３がｔ２において出力する電気信号レベルの平均値はＬａ，Ｌｂ，・・・，Ｌｆのいずれかに対応する。期間ｔ２における電気信号は、該期間に対応するスピーカ１２ａ，１２ｂ，・・・，１２ｆからマイクロホン１３へ到達した音響と周辺ノイズ音とを合計した音の音量に対応した電気信号となる。
【００２１】
ｔ１，ｔ２の時間差は少ないので、ｔ２における周辺ノイズ音の平均レベルは、ｔ１における周辺ノイズ音の平均レベルとほぼ等しいと考えることができる。したがって、ｔ２において観測されたマイクロホン１３の出力電気信号の平均レベルの内、ノイズ音の寄与分は、ｔ１において観測されたマイクロホン１３の出力電気信号の平均レベルにほぼ等しいと考えて、差し支えない。ｔ１，ｔ２の長さは、例えばそれぞれ約５秒及び約１〜２秒である。
【００２２】
テスト信号分析器４１は、ｔ１，ｔ２におけるマイクロホン１３の出力電気信号レベルを所定のサンプル時間間隔で検出し、その平均値をそれぞれＬ１，Ｌ２とする。期間ｔ２にテスト音響を出力しているスピーカについては、そのＳ／Ｎ比は、（Ｌ２−Ｌ１）／Ｌ１である。なお、Ｌ１は前述のＬｚに相当し、Ｌ２は、前述のＬａ，Ｌｂ，・・・，Ｌｆのいずれかに相当する。テスト信号分析器４１は、各スピーカ別にＳ／Ｎ比、すなわち（Ｌａ−Ｌｚ）／Ｌｚ，（Ｌｂ−Ｌｚ）／Ｌｚ，・・・，（Ｌｆ−Ｌｚ）／Ｌｚを算出する。すなわち、マイクロホン１３の出力電気信号において、それぞれテスト音響及び周辺ノイズ音に相当する分をそれぞれＳ（シグナル）及びＮ（ノイズ）としている。
【００２３】
図３はオーディオシステム１０のオーディオシステム用セットアップ方法５０のフローチャートである。
【００２４】
Ｓ５１では、全部のスピーカ１２ａ，１２ｂ，・・・，１２ｆからのテスト音響の出力を中止した前述の期間Ｔｚを生成し、該期間Ｔｚにおけるマイクロホン１３の出力電気信号の平均レベルＬｚを検出する。
【００２５】
Ｓ５２では、各スピーカ１２ａ，１２ｂ，・・・，１２ｆからテスト音響を音量Ｖで順番に出力して、前述のＴａ，Ｔｂ，・・・，Ｔｆを生成するとともに、各Ｔａ，Ｔｂ，・・・，Ｔｆにおけるマイクロホン１３の出力電気信号の平均レベルＬａ，Ｌｂ，・・・，Ｌｆを検出する。
【００２６】
Ｓ５３では、Ｌａ，Ｌｂ，・・・，Ｌｆと、Ｌｚとに基づきスピーカ別Ｓ／Ｎ比（Ｌａ−Ｌｚ）／Ｌｚ，（Ｌｂ−Ｌｚ）／Ｌｚ，・・・，（Ｌｆ−Ｌｚ）／Ｌｚを算出する。
【００２７】
Ｓ５４では、スピーカ別Ｓ／Ｎ比（Ｌａ−Ｌｚ）／Ｌｚ，（Ｌｂ−Ｌｚ）／Ｌｚ，・・・，（Ｌｆ−Ｌｚ）／Ｌｚの中から最小値を選択し、該最小値≧基準値であるか否かを判定する。そして、該判定が否であれば、Ｓ５５へ進み、正であれば、Ｓ５６へ進む。
【００２８】
Ｓ５５では、テスト音響の音量Ｖを所定量ΔＶだけ増加させて（Ｖ←Ｖ＋ΔＶ）、Ｓ５２へ戻る。
【００２９】
Ｓ５６では、テスト音響のその時の音量Ｖに基づきスピーカ１２ａ，１２ｂ，・・・，１２ｆのセットアップを実施する。セットアップでは、セットアップ音量で各スピーカ１２ａ，１２ｂ，・・・，１２ｆから別々に出力させたテスト音響に対するマイクロホン１３の出力のインパルス応答のレベル及び時間を検出する。そして、この検出に基づき、例えば、（ａ）各スピーカ１２ａ，１２ｂ，・・・，１２ｆからマイクロホン１３までの距離の検出、（ｂ）マイクロホン１３の位置が各スピーカ１２ａ，１２ｂ，・・・，１２ｆからの音響が理想的な時間及び音量で届くように、スピーカ１２ａ，１２ｂ，・・・，１２ｆ間の出力音響レベル補正の実施、及び（ｃ）ｆ特性補正を実施する。
【００３０】
図４はオーディオシステム用セットアップ装置６０の構成図である。オーディオシステム用セットアップ装置６０は、単独で存在するオーディオシステムに装備されるものに限定されず、ＡＶ（Audio Visual）システムような他のシステムに組み込まれたオーディオシステムに装備されるものであってもよい。
【００３１】
オーディオシステム用セットアップ装置６０は、複数個のスピーカ６１、音響検出器６２、出力制御手段６３、スピーカ別Ｓ／Ｎ比検出手段６４、判定手段６５、セットアップ音量設定手段６６及びセットアップ手段６７を有している。前述のオーディオシステム１０（図１）はオーディオシステム用セットアップ装置６０の一例である。スピーカ６１の一例はスピーカ１２ａ，１２ｂ，・・・，１２ｆであり、音響検出器６２の一例はマイクロホン１３である。出力制御手段６３の一例は、制御マイコン２１、テスト信号生成器４２及び音量調整器３２ａ，３２ｂ，・・・，３２ｆであり、スピーカ別Ｓ／Ｎ比検出手段６４の一例は制御マイコン２１及びテスト信号分析器４１である。判定手段６５、セットアップ音量設定手段６６及びセットアップ手段６７の一例は、制御マイコン２１とテスト信号生成器４２と音量調整器３２ａ，３２ｂ，・・・，３２ｆとテスト信号分析器４１との共働装置に相当する。
【００３２】
各スピーカ６１は、別々の場所に配置される。音響検出器６２は、所定の音響検出点に配置され該音響検出点における音響をその音量に関係する電気信号へ変換して該電気信号を出力する。
【００３３】
出力制御手段６３は、各スピーカ６１から個別にテスト音響を所定音量Ｖで出力させる。スピーカ別Ｓ／Ｎ比検出手段６４は、音響検出器の出力に基づきスピーカ別Ｓ／Ｎ比を検出する。判定手段６５は、すべてのスピーカ別Ｓ／Ｎ比の中で最小のスピーカ別Ｓ／Ｎ比が基準値以上であるか否かを判定する。スピーカ別Ｓ／Ｎ比検出手段６４は、判定手段６５の判定が否である場合は、音量Ｖを変更してスピーカ別Ｓ／Ｎ比の再検出を実施する。
【００３４】
セットアップ音量設定手段６６は、判定手段６５の判定が正である場合は、その時の音量Ｖをセットアップ音量に設定する。セットアップ手段６７は、セットアップ音量のテスト音響を使って、複数個のスピーカ６１のセットアップを実行する。
【００３５】
オーディオシステム用セットアップ装置６０は、セットアップ対象とならないスピーカ６１を含んでいてもよいとする。この場合、セットアップ対象とならないスピーカ６１については、そのスピーカ別Ｓ／Ｎ比の検出は省略する。
【００３６】
所定の音響検出点とは、典型的には、聴取者が、オーディオシステム用セットアップ装置６０からの音楽等を鑑賞する際に、予定される聴取者位置である。オーディオシステム用セットアップ装置６０におけるスピーカ別Ｓ／Ｎ比の一例は、前述のオーディオシステム１０における（Ｌａ−Ｌｚ）／Ｌｚ，（Ｌｂ−Ｌｚ）／Ｌｚ，・・・，（Ｌｆ−Ｌｚ）／Ｌｚである。
【００３７】
判定手段６５の判定が否である場合のスピーカ別Ｓ／Ｎ比検出手段６４における音量Ｖの変更は、例えば、Ｖの初期値を適当に低い値に設定して、判定手段６５の判定が否であるたびに、Ｖを所定量ずつ段階的に増大させるようにする。
【００３８】
セットアップ時の音響検出器６２は、各スピーカ６１からのテスト音響だけでなく、周辺のノイズ音を含む音響を検出することになり、また、周辺のノイズ音は、時間帯や、曜日によりばらつくことがある。オーディオシステム用セットアップ装置６０によれば、セットアップ手段６７におけるスピーカ６１のセットアップに使用するテスト音響は、セットアップ対象の全部のスピーカ６１に対して基準値以上のＳ／Ｎ比を保証する音量に設定されることになるので、周辺のノイズ音のばらつきに関係なく、的確なセットアップを実施できる。
【００３９】
以下は、オーディオシステム用セットアップ装置６０の好ましい構成態様についての説明である。これら好ましい構成態様は、任意の組み合わせでオーディオシステム用セットアップ装置６０に付加することができる。
【００４０】
好ましくは、出力制御手段６３は、スピーカ別音響出力期間と音響出力中止期間とを設け、各スピーカ別音響出力期間では各期間に対応するスピーカ６１からのみ所定のテスト音響を所定音量Ｖで出力させ、また、音響出力中止期間では全部のスピーカ６１からの音響出力を中止させるものである。
【００４１】
現在がスピーカ別音響出力期間であるか音響出力中止期間であるかは、直接的にはスピーカ６１からテスト音響を出力させる出力制御手段６３により検知可能になっている。また、各スピーカ別音響出力期間が、どのスピーカ６１に係るものであるかも、出力制御手段６３により検知可能になっている。スピーカ別Ｓ／Ｎ比検出手段６４が、これらを検知して音響検出器６２の出力からスピーカ別Ｓ／Ｎ比を検出することを保証するために、例えば、（ａ）スピーカ別Ｓ／Ｎ比検出手段６４が、テスト音響を出力するスピーカ６１を出力制御手段６３に指示するようになっていたり、（ｂ）出力制御手段６３が、現在は、どのスピーカ６１からテスト音響を出力しているかをスピーカ別Ｓ／Ｎ比検出手段６４へ通知したり、（ｃ）出力制御手段６３及びスピーカ別Ｓ／Ｎ比検出手段６４とは別個に、スピーカ別音響出力期間及び音響出力中止期間や、どのスピーカ６１についてのスピーカ別音響出力期間とするかを出力制御手段６３及びスピーカ別Ｓ／Ｎ比検出手段６４に指示又は通知する指示手段を設けたりすることができる。
【００４２】
セットアップ手段６７における典型的なセットアップは、セットアップ音量で各スピーカ６１から別々に出力させたテスト音響に対する音響検出器６２の出力のインパルス応答に基づき、各スピーカ６１から音響検出器６２までの距離測定、スピーカ６１間の出力レベル補正、又は各スピーカ６１のｆ特性の補正を含む。
【００４３】
好ましくは、スピーカ別Ｓ／Ｎ比検出手段６４は、スピーカ別Ｓ／Ｎ比の再検出においては、音響出力中止期間における音響検出器６２の出力レベルの検出は省略し、各スピーカ別音響出力期間における音響検出器６２の出力レベルの検出のみ行う。この一例としてのオーディオシステム用セットアップ方法５０（図３）では、Ｓ５１は、Ｓ５２，Ｓ５３，Ｓ５４，Ｓ５５のループに先立ち１回、実施され、かつ、該ループの外に存在している。
【００４４】
好ましくは、スピーカ別Ｓ／Ｎ比検出手段６４は、各スピーカ別音響出力期間の少なくとも部分期間における音響検出器６２の平均出力レベルと、音響出力中止期間の少なくとも部分期間における音響検出器６２の平均出力レベルとに基づいて各スピーカ別Ｓ／Ｎ比を検出する。前述の図２に関連した説明では、ｔ１，ｔ２の全期間のマイクロホン１３の出力レベルの平均値に基づき、Ｌｚ，Ｌａ，Ｌｂ，・・・，Ｌｆを検出することになっていたが、所定の部分期間のマイクロホン１３の出力レベルの平均値に基づき、Ｌｚ，Ｌａ，Ｌｂ，・・・，Ｌｆを検出できる。特にＬｚの検出の基とする部分期間は、突発的なノイズ音の発生時を除外できる部分期間に設定されることが好ましい。
【００４５】
さらに、スピーカ別Ｓ／Ｎ比検出手段６４は、音響検出器６２の平均出力レベルを検出する時間長さに関して、各スピーカ別音響出力期間における検出期間より音響出力中止期間における検出期間の方を長くするのが好ましい。理由は、周辺ノイズ音には、突発的なものがあり、また、周辺ノイズ音の平均レベルは比較的低いので、音響出力中止期間があまり短いと、音響出力中止期間における音響検出器６２の平均出力レベルが突発的な周辺ノイズ音から大きな影響を受けて、現実のものから遊離するからである。
【００４６】
図５はオーディオシステム用セットアップ方法８０のフローチャートである。オーディオシステム用セットアップ方法８０の一例は図３のオーディオシステム用セットアップ方法５０である。オーディオシステム用セットアップ方法８０の各ステップとオーディオシステム用セットアップ方法５０の各ステップとの対応関係を述べると、Ｓ８１はＳ５１，Ｓ５２，Ｓ５３に対応する。Ｓ８２，Ｓ８３はそれぞれＳ５４，Ｓ５５に対応している。Ｓ８４，Ｓ８５はＳ５６に対応している。
【００４７】
オーディオシステム用セットアップ方法８０の前提としているオーディオシステムは、複数個のスピーカ６１（図４）及び音響検出器６２（図４）を装備している。複数個のスピーカ６１は、別々の場所に配置されている。音響検出器６２は、所定の音響検出点に配置され、該音響検出点における音響をその音量に関係する電気信号へ変換して該電気信号を出力する。
【００４８】
Ｓ８１では、各スピーカ６１から個別にテスト音響を所定音量Ｖで出力させて、音響検出器６２の出力に基づきスピーカ別Ｓ／Ｎ比を検出する。Ｓ８２では、すべてのスピーカ別Ｓ／Ｎ比の中で最小のスピーカ別Ｓ／Ｎ比が基準値以上であるか否かを判定し、判定が正であれば、Ｓ８４へ進み、否であれば、Ｓ８３へ進む。Ｓ８３では、音量Ｖを変更し、その後、Ｓ８１へ戻る。
【００４９】
Ｓ８４では、その時の音量Ｖをセットアップ音量に設定する。Ｓ８５では、セットアップ音量のテスト音響を使って、複数個のスピーカ６１のセットアップを実行する。
【００５０】
オーディオシステム用セットアップ方法８０の好ましい態様について述べる。
【００５１】
好ましくは、Ｓ８１では、スピーカ別音響出力期間と音響出力中止期間とを設け、各スピーカ別音響出力期間では各期間に対応するスピーカからのみ所定のテスト音響を所定音量Ｖで出力させ、また、音響出力中止期間では全部のスピーカからの音響出力を中止させ、各スピーカ別音響出力期間における音響検出器６２の出力レベルと、音響出力中止期間における音響検出器６２の出力レベルとに基づいて各スピーカ別Ｓ／Ｎ比を検出する。
【００５２】
Ｓ８５における典型的なセットアップは、セットアップ音量で各スピーカ６１から別々に出力させたテスト音響に対する音響検出器６２の出力のインパルス応答に基づき、各スピーカ６１から音響検出器６２までの距離測定、スピーカ６１間の出力レベル補正、又は各スピーカ６１のｆ特性の補正を含む。
【００５３】
好ましくは、Ｓ８１では、スピーカ別Ｓ／Ｎ比の再検出においては、すなわち、Ｓ８１がＳ８３からの戻りにより再実行される場合には、音響出力中止期間における音響検出器６２の出力レベルの検出は省略し、各スピーカ別音響出力期間における音響検出器６２の出力レベルの検出のみ行う。
【００５４】
好ましくは、Ｓ８１では、各スピーカ別音響出力期間の少なくとも部分期間における音響検出器６２の平均出力レベルと、音響出力中止期間の少なくとも部分期間における音響検出器６２の平均出力レベルとに基づいて各スピーカ別Ｓ／Ｎ比を検出する。
【００５５】
好ましくは、Ｓ８１では、音響検出器６２の平均出力レベルを検出する時間長さに関して、各スピーカ別音響出力期間における検出期間より音響出力中止期間における検出期間の方を長くする。
【００５６】
本発明を適用したプログラムは、コンピュータを、オーディオシステム用セットアップ装置６０の各手段として機能させる。本発明を適用した別のプログラムは、オーディオシステム用セットアップ方法８０の各ステップをコンピュータに実行させる。
【００５７】
本発明を最良の形態について説明したが、本発明は、これに限定されず、要旨の範囲内で種々の形態により実施可能であることは言うまでもない。
【図面の簡単な説明】
【００５８】
【図１】オーディオシステムの主要部構成図である。
【図２】全部のスピーカからの音響出力を中止した期間と所定のスピーカのみから音量Ｖで音響を出力した期間とにおけるマイクロホンの出力電気信号を例示す図である。
【図３】オーディオシステムのオーディオシステム用セットアップ方法のフローチャートである。
【図４】オーディオシステム用セットアップ装置の構成図である。
【図５】オーディオシステム用セットアップ方法のフローチャートである。
【符号の説明】
【００５９】
６０：オーディオシステム用セットアップ装置、６１：スピーカ、６２：音響検出器、６３：出力制御手段、６４：スピーカ別Ｓ／Ｎ比検出手段、６５：判定手段、６６：セットアップ音量設定手段、６７：セットアップ手段、８０：オーディオシステム用セットアップ方法。
【図１】
0004436283.tif 000002
【図２】
0004436283.tif 000003
【図３】
0004436283.tif 000004
【図４】
0004436283.tif 000005
【図５】
0004436283.tif 000006